【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
データを送受信するための通信ユニット（５０１）と、
データを記憶するための記憶媒体（５０２）と、
前記通信ユニットおよび前記記憶媒体の動作を制御するための制御ユニット（５０３）と
を備える、通信ネットワークにおいて使用するためのサービングノード（１；５００）であって、
前記通信ユニットは、前記サービングノードに端末（５）を登録したときの前記端末のセキュリティ機能を受信するように構成され（Ｓ２０１）、
前記記憶媒体が、前記セキュリティ機能を記憶するように構成され、
前記通信ユニットが、前記端末のセキュリティ機能の別の表示を含むパススイッチ要求メッセージを受信するように構成され（Ｓ２１０）、
前記通信ユニットが、前記記憶されたセキュリティ機能をターゲット基地局に向かって送信するように構成される（Ｓ３１３；Ｓ６１２）、
サービングノード（１；５００）。
【請求項２】
前記制御ユニットが、前記記憶されたセキュリティ機能を前記ターゲット基地局に送信すべきかどうかを判断するように構成され（Ｓ３１２；Ｓ６１１）、かつ、前記通信ユニットは、前記制御ユニットによって行われた前記判断に基づいて、前記記憶されたセキュリティ機能を送信するように構成される、請求項１に記載のサービングノード。
【請求項３】
前記記憶媒体が、基地局のセキュリティアップグレード詳細を前記ネットワークに記憶するように構成され、
前記制御ユニットは、ハンドオーバーが生じたソース基地局（３）のセキュリティがアップグレードされていない場合には（Ｓ４１１）、前記通信ユニットに、前記記憶されたセキュリティ機能を前記ターゲット基地局に送信するように命令するように構成される、
請求項２に記載のサービングノード。
【請求項４】
前記ソース基地局の前記セキュリティをアップグレードした結果、前記端末を用いて、向上したセキュリティパラメータが選択される、請求項３に記載のサービングノード。
【請求項５】
前記制御ユニットは、前記ターゲット基地局の前記セキュリティがアップグレードされている場合には（Ｓ４１３）、前記通信ユニットに、前記記憶されたセキュリティ機能を前記ターゲット基地局に送信するように命令するように構成され、および／または、前記制御ユニットは、前記パススイッチ要求メッセージ中で受信した前記端末の前記セキュリティ機能の他の表示が、前記記憶されたセキュリティ機能と一致しない場合には（Ｓ４１２）、前記通信ユニットに、前記記憶されたセキュリティ機能を前記ターゲット基地局に送信するように命令するように構成される、請求項１から４のいずれか一項に記載のサービングノード。
【請求項６】
前記ネットワークがＬＴＥネットワークであり、前記サービングノードがＭＭＥであってよい、請求項１から５のいずれか一項に記載のサービングノード。
【請求項７】
データを送受信するための通信ユニット（８０１）と、
データを記憶するための記憶媒体（８０２）と、
前記通信ユニットおよび前記記憶媒体の動作を制御するための制御ユニット（８０３）と、
を備える、通信ネットワークにおいて使用するための基地局（４；８００）であって、
前記通信ユニットが、ソース基地局（３）から、端末のハンドオーバーのための、前記端末のセキュリティ機能を含むＸ２ハンドオーバー要求を受信するように構成され（Ｓ２０５）、
前記制御ユニットが、前記端末の前記受信したセキュリティ機能に基づいて、前記ハンドオーバーの後に前記基地局と前記端末との間の通信で使用するためのセキュリティアルゴリズムを選択するように構成され（Ｓ２０６）、
前記通信ユニットが、パススイッチ要求をサービングノード（１）に送信するように構成され（Ｓ２１０）、前記パススイッチ要求が、前記受信したセキュリティ機能を含み、
前記通信ユニットが、前記端末の置換セキュリティ機能を含むメッセージを受信するように構成され（Ｓ３１３；Ｓ６１２）、
前記制御ユニットが、前記置換セキュリティ機能に少なくとも基づいて、前記基地局と前記端末との間の通信で使用するための新しいセキュリティアルゴリズムを選択するように構成され、
前記通信ユニットが、前記新しい選択されたセキュリティアルゴリズムの表示を前記端末に送信するように構成される（Ｓ３１４；Ｓ６１４）、
通信ネットワークにおいて使用するための基地局（４；８００）。
【請求項８】
前記制御ユニットが、前記サービングノードから受信した前記置換セキュリティ機能が前記Ｘ２ハンドオーバー要求中で受信した前記セキュリティ機能と異なるかどうかを判断し、異なる場合には、新しいセキュリティアルゴリズムのみを選択するように構成される、請求項７に記載の基地局。
【請求項９】
前記通信ユニットが、前記サービングノードから、コンテキスト修正リクエスト中で前記置換セキュリティ機能を受信するように構成され（Ｓ３１３）、および／または、前記通信ユニットが、パススイッチ要求確認応答メッセージ中で前記置換セキュリティ機能を受信するように構成される（Ｓ６１２）、請求項７から９のいずれか一項に記載の基地局。
【請求項１０】
前記通信ユニットが、前記パススイッチ要求を前記サービングノードに送信する前に、前記選択されたセキュリティアルゴリズムの表示を含むハンドオーバーコマンドメッセージを前記端末に送信するように構成される（Ｓ２０７）、請求項１０から１３のいずれか一項に記載の基地局。
【請求項１１】
通信ネットワーク中のサービングノード（１；５００）を動作させる方法において、
前記サービングノードに端末（５）を登録したときの前記端末のセキュリティ機能を受信すること（Ｓ２０１）と、
前記受信したセキュリティ機能を記憶することと、
前記端末の前記セキュリティ機能を含むパススイッチ要求メッセージを受信すること（Ｓ２１０））と、
前記記憶されたセキュリティ機能をターゲット基地局に向かって送信すること（Ｓ３１３；Ｓ６１２）と
を含む、方法。
【請求項１２】
前記記憶された端末セキュリティ機能が、コンテキスト修正リクエスト中で前記ターゲット基地局に送信され（Ｓ３１３）、および／または、前記記憶された端末セキュリティ機能が、パススイッチ要求確認応答メッセージ中で前記ターゲット基地局に送信される（Ｓ６１２）、請求項１１に記載の方法。
【請求項１３】
通信ネットワーク中の基地局（４；８００）を動作させる方法において、
ソース基地局（３）から、端末のハンドオーバーのための、前記端末のセキュリティ機能を含むＸ２ハンドオーバー要求を受信すること（Ｓ２０５）と、
前記端末の前記受信したセキュリティ機能に基づいて、前記ハンドオーバーの後に前記基地局と前記端末との間の通信で使用するためのセキュリティアルゴリズムを選択すること（Ｓ２０６）と、
前記端末の前記セキュリティ機能を含むパススイッチ要求をサービングノード（１）に送信すること（Ｓ２１０）と、
前記端末の置換セキュリティ機能を含むメッセージを受信すること（Ｓ３１３；Ｓ６１２）と、
前記置換セキュリティ機能に少なくとも基づいて、前記基地局と前記端末との間の通信で使用するための新しいセキュリティアルゴリズムを選択することと、
前記新しいセキュリティアルゴリズムの選択を前記端末に表示すること（Ｓ３１４；Ｓ６１４）と
を含む、通信ネットワーク中の基地局（４；８００）を動作させる方法。
【請求項１４】
通信ネットワークを動作させる方法において、
サービングノード（１）に端末（５）を登録することと
前記端末（５）のセキュリティ機能を前記サービングノード（１；５００）に送信することと、
前記サービングノードで前記セキュリティ機能を記憶することと、
ソース基地局（３）から、前記端末のハンドオーバーのためのターゲット基地局に、前記端末のセキュリティ機能の追加表示を含むＸ２ハンドオーバー要求を送信すること（Ｓ２０５）と、
前記ターゲット基地局において、前記端末の前記セキュリティ機能の前記受信した追加表示に基づいて、前記ハンドオーバーの後に前記ターゲット基地局と前記端末との間の通信で使用するためのセキュリティアルゴリズムを選択すること（Ｓ２０６）と、
前記ターゲット基地局から前記端末に、前記選択されたセキュリティアルゴリズムの表示を含むハンドオーバーコマンドメッセージを送信すること（Ｓ２０７）と、
前記端末の前記セキュリティ機能の前記追加表示を含むパススイッチ要求を前記サービングノードに送信すること（Ｓ２１０）と、
前記サービングノードに記憶された前記セキュリティ機能を前記ターゲット基地局に送信すること（Ｓ３１３；Ｓ６１２）と、
前記ターゲット基地局において、前記サービングノードに記憶され、そこから送信された前記セキュリティ機能に少なくとも基づいて、前記基地局と前記端末との間の通信で使用するための新しいセキュリティアルゴリズムを選択することと、
前記新しいセキュリティアルゴリズムの選択の表示を前記端末に送信すること（Ｓ３１４；Ｓ６１４）と
を含む、方法。
【請求項１５】
通信ネットワーク中のサービングノードによって動作させたときに、前記サービングノードに、
前記サービングノードに端末（５）を登録したときの前記端末のセキュリティ機能を受信すること（Ｓ２０１）と、
前記受信したセキュリティ機能を記憶することと、
前記端末のハンドオーバーのために、ソース基地局（３）からターゲット基地局（４）にＸ２ハンドオーバー要求を送信した（Ｓ２０５）後に、前記端末の前記セキュリティ機能を含むパススイッチ要求メッセージ（Ｓ２１０）を受信することと、
前記記憶されたセキュリティ機能を前記ターゲット基地局に送信すること（Ｓ３１３；Ｓ６１２）と
を行わせるコンピュータ可読コードを備える、コンピュータプログラム。
【請求項１６】
通信ネットワーク中の基地局によって動作させたときに、前記基地局に、
ソース基地局（３）から、端末のハンドオーバーのための、前記端末のセキュリティ機能を含むＸ２ハンドオーバー要求を受信すること（Ｓ２０５）と、
前記端末の前記受信したセキュリティ機能に基づいて、前記ハンドオーバーの後に前記基地局と前記端末との間の通信で使用するためのセキュリティアルゴリズムを選択すること（Ｓ２０６）と、
前記端末の前記セキュリティ機能を含むパススイッチ要求をサービングノード（１）に送信すること（Ｓ２１０）と、
置換セキュリティ機能を含むメッセージを受信すること（Ｓ３１３；Ｓ６１２）と、
前記置換セキュリティ機能に少なくとも基づいて、前記基地局と前記端末との間の通信で使用するための新しいセキュリティアルゴリズムを選択することと、
前記新しいセキュリティアルゴリズムを前記端末に表示すること（Ｓ６１４）と
を行わせるコンピュータ可読コードを備える、コンピュータプログラム。